(57)【要約】送信ユニット（１）と、受信ユニット（１１）とを具備してなり、ユニット（１に対して１１）が処理部（５に対して１５）に結合された並列チェーン（２〜４に対して１２〜１４）を含んでいる通信システムは、チェーン（２〜４に対して１２〜１４）におけるノイズが無相関化されるという前提で、データ転送速度／チャネル容量を向上させた。外部ノイズ源からの相関ノイズは、前記速度／容量を低下させる。前記チェーン（２〜４に対して１２〜１４）における相関ノイズを無相関化させるために、前記チェーン（２〜４に対して１２〜１４）をスイッチ（６に対して１６）を介して前記処理部（５に対して１５）に結合することにより、チェーン（２〜４に対して１２〜１４）に存在するいずれの相関ノイズも無相関化される。前記スイッチ（３０、５０、７０）はチェーン信号を（オーバー／サブ）サンプリングし、また不規則的またはプログラム的に切換を行うよう制御するために前記処理部（３２、５２、７２）に更に結合されており、また前記処理部（３２、５２、７２）およびスイッチ（３０、５０、７０）は共時的に動作する。前記スイッチ（３０、５０、７０）は（デ）マルチプレクサを含んでおり、チェーンは少なくともアンテナ（２１、２２、４１、４２、６１、６２）と、あるいは増幅器（２５、２６、４３、４４）と、前記スイッチ（３０、５０、７０）を介して前記処理部（３２、５２、７２）に結合されたミキサ（２７、２８）とを含んでおり、前記処理部（３２、５２、７２）は少なくともフィルタ（３７、５７、７７）と、コンバータ（３８、５８、７８）と、プロセッサ（３９、５９、７９）と、あるいは前記ミキサ（５６、７６）と、前記増幅器（７５）とを含んでいる。
2005530402.tif 000002
【特許請求の範囲】
【請求項１】
送信ユニットと、受信ユニットとを備える通信システムであって、少なくとも一方のユニットが処理部に結合された少なくとも２つのチェーンを備え、前記チェーンが前記チェーンにおける相関ノイズを無相関にする少なくとも１つのスイッチを介して前記処理部に結合されていることを特徴とする、通信システム。
【請求項２】
前記スイッチが、前記チェーンに向かうおよび／または前記チェーンから発せられる信号をサンプリング、オーバーサンプリング、またはサブサンプリングすることを特徴とする、請求項１に記載の通信システム。
【請求項３】
前記スイッチが更に、制御を行うために前記処理部に結合されていることを特徴とする、請求項２に記載の通信システム。
【請求項４】
前記スイッチが、デマルチプレクサおよび／またはマルチプレクサを備えることを特徴とする、請求項１に記載の通信システム。
【請求項５】
前記チェーンのそれぞれが、アンテナと、増幅器と、ミキサとを含み、前記ミキサが、フィルタと、コンバータと、プロセッサとを備える前記処理部に前記スイッチを介して結合されていることを特徴とする、請求項４に記載の通信システム。
【請求項６】
前記チェーンのそれぞれが、アンテナと、増幅器とを備え、前記増幅器が、ミキサと、フィルタと、コンバータと、プロセッサとを備える前記処理部に前記スイッチを介して結合されていることを特徴とする、請求項４に記載の通信システム。
【請求項７】
前記チェーンのそれぞれがアンテナを含み、前記アンテナが、増幅器と、ミキサと、フィルタと、コンバータと、プロセッサとを備える前記処理部に前記スイッチを介して結合されていることを特徴とする、請求項４に記載の通信システム。
【請求項８】
送信ユニットと、受信ユニットとを備える通信システムにおいて信号を交換する方法であって、少なくとも一方のユニットが少なくとも２つのチェーンを備え、前記チェーンにおける相関ノイズを切換によって無相関にするステップを備えることを特徴とする、方法。
【請求項９】
送信処理部に結合された少なくとも２つの送信チェーンを備える送信ユニットであって、前記送信チェーンが、前記送信チェーンにおける相関ノイズを無相関にする少なくとも１つのスイッチを介して前記送信処理部に結合されていることを特徴とする、送信ユニット。
【請求項１０】
受信処理部に結合された少なくとも２つの受信チェーンを備える受信ユニットであって、前記受信チェーンが、前記受信チェーンにおける相関ノイズを無相関にする少なくとも１つのスイッチを介して前記受信処理部に結合されていることを特徴とする、受信ユニット。
【請求項１１】
送信チェーンを備える送信ユニットの前記送信チェーンにおける相関ノイズを無相関にする送信方法であって、前記送信チェーンにおける無相関ノイズを無相関にするために前記送信チェーンを切り換えるステップを含むことを特徴とする、送信方法。
【請求項１２】
受信チェーンを含む受信ユニットの前記受信チェーンにおける相関ノイズを無相関にする受信方法であって、前記受信チェーンにおける相関ノイズを無相関にするために前記受信チェーンを切り換えるステップを含むことを特徴とする、受信方法。
【発明の詳細な説明】
【技術分野】
【０００１】
本発明は、送信ユニットと、受信ユニットとを備え、少なくとも一方のユニットが処理部に結合された少なくとも２つのチェーンを備える遠距離通信システムに関する。
【０００２】
本発明はまた、送信ユニットと、受信ユニットとを備え、少なくとも一方のユニットが少なくとも２つのチェーンを備える通信システムにおいて信号を交換する方法と、送信処理部に結合された少なくとも２つの送信チェーンを備える送信ユニットと、受信処理部に結合された少なくとも２つの受信チェーンを備える受信ユニットと、送信チェーンを備える送信ユニットの前記送信チェーンにおける相関ノイズを無相関にする送信方法と、受信チェーンを備える受信ユニットの前記受信チェーンにおける相関ノイズを無相関にする受信方法とに関する。
【背景技術】
【０００３】
このような通信システムは、例えば多入力多出力システムまたはＭＩＭＯシステムであり、このようなシステムにおいては、送信ユニットは並列にデータを送信する第１の数の送信ユニットチェーンを含み、また受信ユニットは並列にデータを受信する第２の数の受信チェーンを含んでおり、前記第２の数は前記第１の数と等しいか、あるいは異なっている。これらの並列チェーンにおけるノイズが無相関化され、データにおける相関が分かっているという主な仮定の下で、これらの並列チェーンを使用することにより、データ転送速度および／またはチャネル容量を向上させることができる。このような通信システムの他の可能な例は、セルラー方式無線システム（ＧＳＭ、ＵＭＴＳなど）、無線通信システム（ＤＥＣＴなど）、および無線ネットワーク（ＬＡＮ、ＷＡＮなど）である。
【０００４】
従来の通信システムは、その図１において、特に、デジタル受信器（処理部）の入力にそれぞれ結合された並列アナログフロントエンド（チェーン）を具備してなる送信器（送信ユニット）および受信器（受信ユニット）を開示しているＵＳ  ６，３１４，１４７より知られている。
【０００５】
既知の通信システムは、特に、チェーンに相関ノイズを導入する特定のノイズ源のため、不都合である。例えば、シリコン上で実現される場合および／または同一のシンセサイザを共有する場合、シリコンおよび／または前記シンセサイザのどこかにあるノイズ源がチェーンに相関ノイズを持ち込んでしまい、この相関ノイズによってデータ転送速度および／またはチャネル容量が低下してしまう。
【発明の開示】
【０００６】
本発明の目的は、特に、チェーンに相関ノイズを導入するノイズ源に対処することの可能な、前文において定義された通信システムを提供することにある。
【０００７】
本発明による通信システムは、前記チェーンが、前記チェーンにおける相関ノイズを無相関にする少なくとも１つのスイッチを介して前記処理部に結合されていることを特徴とする。
【０００８】
前記チェーンと前記処理部との間に（直列に）置かれた前記スイッチは、チェーンを切り換え、第１の期間に処理部に第１チェーンを結合し、また第２の期間に処理部に第２チェーンを結合するなどを行う。その結果、ユニットの他の部分に対する前記第１チェーンにおける前記相関ノイズは第１の期間に存在するのみであり、またユニットの残り部分に対する第２チェーンにおける前記相関ノイズは第２の期間に存在するのみであるため、チェーンに存在する何れの相関ノイズももはや相関されることはない。
【０００９】
本発明は、特に、全てのチェーンがいつも動作状態にある場合、外部ノイズ源がチェーンにおける相関ノイズを引き起こすという見識に基づいており、また特に、１つのチェーンを動作状態にし、（次の）期間に他の全てのチェーンを同時に非動作状態にすることにより、この相関ノイズを無相関にすることができるという基本的概念に基づいている。
【００１０】
本発明は、特に、チェーンに相関ノイズを導入するノイズ源に対処することの可能な、前文において定義した通信システムを提供するという問題を解決し、また特に、データ転送速度および／またはチャネル容量が最適となるということにおいて有利である。
【００１１】
ちなみに、ＵＳ  ６，３１４，１４７には、特定の種類の切換機能が開示されているが、第１にこの切換機能はデジタル受信器の内部に配置され、第２にチェーンと処理部との間に直列に配置されたスイッチが存在せず、この切換機能がチェーンに並列に配置されており、また第３にこの切換機能は制御のみを目的とするものであって、チェーンにおける何れの相関ノイズを無相関にするためのものではない。
【００１２】
請求項２に定義される本発明による通信システムの第１実施例は、前記スイッチが、前記チェーンに向かうおよび／または前記チェーンから発せられる信号をサンプリング、オーバーサンプリング、またはサブサンプリングすることにおいて有利である。
【００１３】
前記スイッチは、送信ユニットに配置されている場合に、チェーンに向かう信号をサンプリング、オーバーサンプリング、またはサブサンプリングする。前記スイッチは、受信ユニットに配置されている場合に、チェーンから発せられる信号をサンプリング、オーバーサンプリング、サブサンプリングする。サンプリングを行う場合、チェーンにおける元の信号が復元され、またオーバーサンプリングを行う場合、チェーンにおける元の信号が復元されるが、更に多くの情報が利用可能となる。サブサンプリングを行う場合、チェーンにおける元の信号は復元されることはないが、推定を行う必要がある。
【００１４】
請求項３に定義される本発明による通信システムの第２実施例は、前記スイッチが更に、制御を行うために前記処理部に結合されていることにおいて有利である。
【００１５】
前記スイッチと前記処理部とを結合することにより、切換を不規則的またはプログラム的に行うことができ、前記処理部および前記スイッチは常に共時的に動作する。
【００１６】
請求項４に定義される本発明による通信システムの第３実施例は、前記スイッチが、デマルチプレクサおよび／またはマルチプレクサを含むことにおいて有利である。
【００１７】
送信ユニットに配置されている場合にデマルチプレクサによって、また受信ユニットに配置されている場合にマルチプレクサによって前記スイッチを実現することによって、スイッチを低コストで実現し、かつうまく実施することができる。
【００１８】
請求項５に定義される本発明による通信システムの第４実施例は、前記チェーンのそれぞれが、アンテナと、増幅器と、ミキサとを含み、前記ミキサが、フィルタと、コンバータと、プロセッサとを含む前記処理部に前記スイッチを介して結合されていることにおいて有利である。
【００１９】
この第４実施例において、アンテナ、アナログ増幅器、およびアナログミキサなどの多数のアナログ構成要素をそれぞれ含むアナログチェーンにおける相関ノイズは有利に無相関化されるが、各チェーンが前記多数のアナログ構成要素を含んでいるのは不都合である。前記処理部は、アナログフィルタと、送信ユニットの一部を形成している場合のデジタル／アナログ（ＤＡ）コンバータおよび受信ユニットの一部を形成している場合のアナログ／デジタル（ＡＤ）コンバータと、デジタルプロセッサとを含んでいる。
【００２０】
請求項６に定義される本発明による通信システムの第５実施例は、前記チェーンのそれぞれが、アンテナと、増幅器とを含み、前記増幅器が、ミキサと、フィルタと、コンバータと、プロセッサとを含む前記処理部に前記スイッチを介して結合されていることにおいて有利である。
【００２１】
この第５実施例において、アンテナおよびアナログ増幅器などの平均的数のアナログ構成要素をそれぞれ含むアナログチェーンにおける相関ノイズは有利に無相関化され、各チェーンは前記平均的数のアナログ構成要素を含んでいる。前記処理部は、アナログミキサと、アナログフィルタと、送信ユニットの一部を形成している場合のデジタル／アナログ（ＤＡ）コンバータおよび受信ユニットの一部を形成している場合のアナログ／デジタル（ＡＤ）コンバータと、デジタルプロセッサとを含んでいる。
【００２２】
請求項７に定義される本発明による通信システムの第６実施例は、前記チェーンのそれぞれがアンテナを含み、前記アンテナが、増幅器と、ミキサと、フィルタと、コンバータと、プロセッサとを含む前記処理部に前記スイッチを介して結合されていることにおいて有利である。
【００２３】
この第６実施例において、アンテナなどの少数のアナログ構成要素をそれぞれ含むアナログチェーンにおける相関ノイズは有利に無相関化され、各チェーンは前記少数のアナログ構成要素を有利に含んでいる。前記処理部は、アナログ増幅器と、アナログミキサと、アナログフィルタと、送信器の一部を形成している場合のデジタル／アナログ（ＤＡ）コンバータおよび受信ユニットの一部を形成している場合のアナログ／デジタル（ＡＤ）コンバータと、デジタルプロセッサとを含んでいる。しかしながら、スイッチがアナログ増幅器に直接結合されている場合は、増幅器ノイズが増加してしまう。
【００２４】
本発明による方法、本発明による送信ユニット、本発明による受信ユニット、本発明による送信方法、および本発明による受信方法の実施例は、本発明による通信システムの実施例に一致する。
【００２５】
本発明の上記および他の側面は、以下に説明する実施例より明らかとなり、解明されるであろう。
【発明を実施するための最良の形態】
【００２６】
図１に示す通信システムは、本発明による送信ユニット１と、本発明による受信ユニット１１とを具備している。
【００２７】
送信ユニット１は、第１送信アンテナ７を備える、またはこれに結合された第１送信チェーン２と、第２送信アンテナ８を備える、またはこれに結合された第２送信チェーン３と、第３送信アンテナ９を備える、またはこれに結合された第３送信チェーン４とを備えている。前記送信チェーン２〜４の入力は、スイッチ６のサブコンタクトに結合され、またこのスイッチのメインコンタクトは処理部５に結合されている。
【００２８】
受信ユニット１１は、第１受信アンテナ１７を備える、またはこれに結合された第１受信チェーン１２と、第２受信アンテナ１８を備える、またはこれに結合された第２受信チェーン１３と、第３受信アンテナ１９を備える、またはこれに結合された第３受信チェーン１４とを備えている。前記受信チェーン１２〜１４の入力は、スイッチ１６のサブコンタクトに結合され、またこのスイッチのメインコンタクトは処理部１５に結合されている。
【００２９】
図１に示す通信システムは例えば、多入力多出力またはＭＩＭＯシステムであり、このシステムにおいて送信ユニット１は、データを並列に送信する第１の数、例えば３つの送信チェーン２〜４を含み、また受信ユニット１１は、データを並列に受信する第２の数、例えば３つの受信チェーン１２〜１４を含んでおり、前記第２の数は前記第１の数と等しいかあるいは異なっており、また前記数の少なくとも一方は１よりも大きい。これらの並列チェーンにおけるノイズが無相関化され、データにおける相関が分かっているという主な仮定の下で、並列チェーンを使用することにより、データ転送速度および／またはチャネル容量を向上させることが可能である。しかし、例えば同一のダイ上に全てのチェーンが配置されているシリコン上で実現される場合、シリコン上の何れかにあるノイズ源によって、相関ノイズがチェーンに持ち込まれる。あるいは、同一のシンセサイザを共有する場合、このシンセサイザが相関ノイズをチェーンに持ち込んでしまう。前記相関ノイズは、データ転送速度および／またはチャネル容量を低下させる。
【００３０】
スイッチ６（スイッチ１６）有する送信ユニット１（受信ユニット１１）を提供することにより、このスイッチ６（スイッチ１６）は送信チェーン２〜４（受信チェーン１２〜１４）と処理部（処理部１５）との間に直列に配置され、第１送信チェーン２（受信チェーン１２）は第１期間に処理部５（処理部１５）に結合され、第２送信チェーン３（受信チェーン１３）は第２期間に処理部５（処理部１５）に結合され、また第３送信チェーン４（受信チェーン１４）は第３期間に処理部５（処理部１５）に結合される。その結果、送信ユニット１（受信ユニット１１）の残り部分に対する前記第１送信チェーン２（受信チェーン１２）の前記相関ノイズは第１期間に存在するのみとなり、送信ユニット１（受信ユニット１１）の残り部分に対する前記第２送信チェーン３（受信チェーン１３）の前記相関ノイズは第２期間に存在するのみとなり、また送信ユニット１（受信ユニット１１）の残り部分に対する前記第３送信チェーン４（受信チェーン１４）の前記相関ノイズは第３期間に存在するのみとなるので、送信チェーン２〜４（受信チェーン１２〜１４）に存在する何れの相関ノイズももはや相関されることはない。
【００３１】
前記スイッチ６（スイッチ１６）は、例えば、送信チェーン２〜４に向けられた（受信チェーン１２〜１４から発せられた）信号をサンプリング、オーバーサンプリング、またはサブサンプリングし、また例えば送信ユニット１に配置される場合にはデマルチプレクサによって（受信ユニット１１に配置される場合にはマルチプレクサによって）低コストで実現され、適切に実施される。
【００３２】
本発明は、特に、全てのチェーンが常に動作状態にある場合に外部ノイズ源がチェーンにおける相関ノイズをもたらすという見識に基づいており、また、特に、１つのチェーンを動作状態にさせ、（その後の）期間に他の全てのチェーンを同時に非動作状態にさせることによって、この相関ノイズを無相関にさせることができるという基本的概念に基づいている。
【００３３】
本発明は、特に、チェーンにおける相関ノイズを導入するノイズ源に対処可能な、前文で定義した通信システムを提供するという問題を解決するものであり、また、特に、データ転送速度および／またはチャネル容量を最適にさせることにおいて有利である。
【００３４】
ちなみに、送信ユニット１１および受信ユニット１１は必ずしも同一数のチェーンを有している必要はなく、前記ユニットのそれぞれを互いに完全に独立して使用することが可能である。
【００３５】
図２に示す第１受信ユニット２０は、第１受信チェーン２３に結合された、あるいはその一部を形成する第１アンテナ２１と、第２受信チェーン２４に結合された、あるいはその一部を形成する第２アンテナ２２とを備えている。第１受信チェーン２３は、第１アンテナ２１とミキサ２７との間に位置する低ノイズ増幅器２５を備えており、前記ミキサ２７はスイッチ３０の第１サブコンタクトに結合されている。第２受信チェーン２４は、第２アンテナ２２とミキサ２８との間に位置する低ノイズ増幅器２６を備えており、前記ミキサ２８はスイッチ３０の第２サブコンタクトに結合されている。スイッチ３０のメインコンタクトは、前記メインコンタクトに結合されたバンドパスフィルタ３７を備え、かつ前記バンドパスフィルタ３７とプロセッサ３９との間に位置するアナログ／デジタル（ＡＤ）コンバータ３８を含む処理部３２に結合されており、またプロセッサ３９は制御カップリング３１を介してスイッチ３０を制御する。
【００３６】
図３に示す第２受信ユニット４０は、第１受信チェーン４３に結合された、あるいはその一部を形成する第１アンテナ４１と、第２受信チェーン４４に結合された、あるいはその一部を形成する第２アンテナ４２とを備えている。第１受信チェーン４３は低ノイズ増幅器４３を備えており、この低ノイズ増幅器４３はスイッチ５０の第１サブコンタクトに結合されている。第２受信チェーン４４は低ノイズ増幅器４４を備えており、この低ノイズ増幅器４４はスイッチ５０の第２サブコンタクトに結合されている。スイッチ５０のメインコンタクトは、前記メインコンタクトに結合されたミキサ５６を備え、かつ前記ミキサ５６とプロセッサ５９に更に結合されたアナログ／デジタル（ＡＤ）コンバータ５８との間に位置するバンドパスフィルタ５７を含む処理部５２に結合されており、プロセッサ５９は制御カップリング５１を介してスイッチ５０を制御する。
【００３７】
図４に示す第３受信ユニット６０は、第１受信チェーン６１に結合された、あるいはその一部を形成する第１アンテナ６１と、第２受信チェーン６２に結合された、あるいはその一部を形成する第２アンテナ６２とを含んでいる。第１アンテナ６１は、スイッチ７０の第１サブコンタクトに結合される。第２アンテナ６２は、スイッチ７０の第２サブコンタクトに結合される。スイッチ７０のメインコンタクトは、前記メインコンタクトに結合された増幅器７５を含み、かつ前記増幅器７５とバンドパスフィルタ７７との間に位置するミキサ７６を含む処理部７２に結合されており、バンドパスフィルタ７７は更にアナログ／デジタル（ＡＤ）コンバータ７８に結合され、アナログ／デジタル（ＡＤ）コンバータ７８は更にプロセッサ７９に結合され、またプロセッサ７９は制御カップリング７１を介してスイッチ７０を制御する。
【００３８】
前記スイッチ３０（５０または７０）は、例えば、受信チェーン２３、２４（４３、４４または６１、６２）から発せられる信号をサンプリング、オーバーサンプリング、またはサブサンプリングし、また制御を行うために制御カップリング３１（５１または７１）を介して処理部３２（５２または７２）に結合される。そのため、切換を不規則的またはプログラム的に行うことができ、また前記処理部３２（５２または７２）および前記スイッチ３０（５０または７０）は常に共時的に動作する。前記スイッチ３０（５０または７０）は、例えば、マルチプレクサを含み、低コストで実現され、適切に実施させることが可能である。
【００３９】
図２に示す実施例において、前記受信チェーン２３、２４はそれぞれがアンテナ２１、２２と、増幅器２５、２６と、ミキサ２７、２８とを含んでおり、またミキサ２７、２８は、フィルタ３７と、コンバータ３８と、プロセッサ３９とを含む処理部３２にスイッチ３０を介して結合されている。アナログチェーン２３、２４はそれぞれが多数のアナログ構成要素を含んでおり、不利であるが、これら全てのアナログ構成要素に存在する相関ノイズは無相関化され、非常に有利である。
【００４０】
図３に示す実施例において、前記受信チェーン４３、４４はそれぞれがアンテナ４１、４２と、増幅器４３、４４とを含んでおり、また増幅器４３、４４はミキサ５６と、フィルタ５７と、コンバータ５８と、プロセッサ５９とを含む処理部５２にスイッチ５０を介して結合されている。アナログチェーン２３、２４はそれぞれが平均的数のアナログ構成要素を含んでおり、多数のアナログ構成要素を含む場合に比べて有利であり、またこれら全てのアナログ構成要素に存在する相関ノイズが無相関化され、非常に有利である。
【００４１】
図４に示す実施例において、前記受信チェーン６１、６２はそれぞれがアンテナ６１、６２を含んでおり、またアンテナ６１、６２は増幅器７５と、ミキサ７６と、フィルタ７７と、コンバータ７８と、プロセッサ７９とを含む処理部７２にスイッチ７０を介して結合されている。アナログチェーン６１、６２はそれぞれが少数のアナログ構成要素を含んでいて、非常に有利であり、またこれらのアナログ構成要素に存在する相関ノイズは無相関化され、これも非常に有利である。しかし、増幅器７５に直接結合されているスイッチ７０の場合、増幅器ノイズが増加してしまうが、将来の技術がこの問題を解決するであろう。
【００４２】
本発明の範囲から逸脱することなく、前記チェーンに別のアナログ構成要素を追加し、また前記処理部に別のアナログおよび／またはデジタル構成要素を追加することができ、また本発明は多入力多出力システムまたはＭＩＭＯシステムに限定されることはないが、セルラー方式無線システム（ＧＳＭ、ＵＭＴＳなど）、無線通信システム（ＤＥＣＴなど）、無線ネットワーク（ＬＡＮ、ＷＡＮなど）、アンテナダイバーシティシステムなどにおいても使用することができる。一般に、本発明は、２つの位置で相関ノイズを有するという問題を、前記相関ノイズを無相関化するために、前記位置を切り換え、および／または時分割多重化し、および／または作動／停止させることにより解決するものである。
【図面の簡単な説明】
【００４３】
【図１】図１は、本発明による送信ユニットと、本発明による受信ユニットとを具備してなる本発明による通信システムをブロック図で示している。
【図２】図２は、本発明による第１受信ユニットをブロック図で示している。
【図３】図３は、本発明による第２受信ユニットをブロック図で示している。
【図４】図４は、本発明による第３受信ユニットをブロック図で示している。
【符号の説明】
【００４４】
１  送信ユニット
２  第１送信チェーン
３  第２送信チェーン
４  第３送信チェーン
５  処理部
６  スイッチ
７  第１送信アンテナ
８  第２送信アンテナ
９  第３送信アンテナ
１１  受信ユニット
１２  第１受信チェーン
１３  第２受信チェーン
１４  第３受信チェーン
１５  処理部
１６  スイッチ
２０  第１受信ユニット
２１  第１アンテナ
２２  第２アンテナ
２３  第１受信チェーン
２４  第２受信チェーン
２５、２６  低ノイズ増幅器
２７、２８  ミキサ
３０  スイッチ
３７  バンドパスフィルタ
３８  アナログ／デジタルコンバータ
３９  プロセッサ
４０  第２受信ユニット
４１  第１アンテナ
４２  第２アンテナ
４３  第１受信チェーン
４４  第２受信チェーン
５０  スイッチ
５１  制御カップリング
５２  処理部
５６  ミキサ
５７  バンドパスフィルタ
５８  アナログ／デジタルコンバータ
５９  プロセッサ
６０  第３受信ユニット
６１  第１受信チェーン
６２  第２受信チェーン
７０  スイッチ
７２  処理部
７５  増幅器
７６  ミキサ
７７  バンドパスフィルタ
７８  アナログ／デジタルコンバータ
７９  プロセッサ
【図１】
2005530402.tif 000003
【図２】
2005530402.tif 000004
【図３】
2005530402.tif 000005
【図４】
2005530402.tif 000006
【国際調査報告】
2005530402.tif 000007
2005530402.tif 000008
2005530402.tif 000009